(57)【要約】      （修正有）【課題】ＥＰＧメニューデータ及び／又はＥＰＧデバッギング信号の伝送によるエラーを解消し、ＥＰＧデバッギング信号に対する実時間両方向通信を実現することができる、放送受信／伝送デバイス、無線Ａ／Ｖシステム、および無線Ａ／Ｖシステムの制御方法を提供する。【解決手段】放送受信／伝送デバイス放送信号をエンコーディングフォーマットによってエンコーディングして出力する放送信号処理部とエンコーディングされた放送信号を外部デバイスに無線伝送するモジュールと放送信号から電子プログラムガイド情報を検出し、ＥＰＧメニューデータを生成し、ＥＰＧメニューデータと放送信号のうちの少なくともいずれか一つがエンコーディングフォーマットによってエンコーディングされて伝送側無線モジュールを通じて外部デバイスに伝送されるように放送信号処理部を制御する。【選択図】図２
2007037122.tif 000002
【特許請求の範囲】
【請求項１】
放送信号を所定のエンコーディングフォーマットでエンコーディングして無線で外部デバイスに伝送する放送受信／伝送デバイスにおいて、
前記放送信号を前記エンコーディングフォーマットによってエンコーディングして出力する放送信号処理部と；
前記放送信号処理部を通じてエンコーディングされた前記放送信号を前記外部デバイスに無線で伝送するための伝送側無線モジュールと；
前記放送信号から電子プログラムガイド情報を検出し、前記検出された電子プログラムガイド情報に基づいてＥＰＧメニューデータを生成し、前記ＥＰＧメニューデータと前記放送信号のうちの少なくともいずれか一つが前記エンコーディングフォーマットによってエンコーディングされて前記伝送側無線モジュールを通じて前記外部デバイスに伝送されるように前記放送信号処理部を制御する制御部とを含むことを特徴とする放送受信／伝送デバイス。
【請求項２】
前記放送信号処理部は、
前記放送信号を受信するためのチューナーと；
前記チューナーから受信される放送信号をデジタルデータに変換するデジタル処理部と；
前記デジタル処理部からの前記デジタルデータを前記エンコーディングフォーマットによってエンコーディングして出力するエンコーディング部と；
前記制御部の制御によって前記ＥＰＧメニューデータと前記デジタルデータのうちの少なくともいずれか一つが前記エンコーディング部に入力されるようにするデータ選択部とを含むことを特徴とする請求項１に記載の放送受信／伝送デバイス。
【請求項３】
前記エンコーディングフォーマットは、ＭＰＥＧフォーマットを含むことを特徴とする請求項２に記載の放送受信／伝送デバイス。
【請求項４】
ＥＰＧデバッギングのためのＥＰＧデバッギング信号が送受信されるデバッギング信号送受信部をさらに含み；
前記制御部は前記デバッギング信号送受信部を通じて受信される前記デバッギング信号を前記エンコーディング部を通じてエンコーディングして前記外部デバイスに伝送することを特徴とする請求項３に記載の放送受信／伝送デバイス。
【請求項５】
前記伝送側無線モジュールと前記外部デバイスとの間の無線データ伝送領域は、前記エンコーディング部を通じてエンコーディングされたデータの伝送のためのＡ／Ｖ信号領域と、前記エンコーディング部を通じてエンコーディングされたデータ以外のデータの伝送のための使用者データ領域とを含むことを特徴とする請求項４に記載の放送受信／伝送デバイス。
【請求項６】
請求項１による放送受信／伝送装置と；
前記放送受信／伝送装置と無線でデータを送受信するための受信側無線モジュールと、前記受信側無線モジュールを通じて受信される放送信号をデコーディングして所定の映像および音声フォーマットに変換して出力するデコーディング／信号処理部とを有する無線受信デバイスとを含むことを特徴とする無線Ａ／Ｖシステム。
【請求項７】
請求項２による放送受信／伝送装置と；
前記放送受信／伝送装置と無線でデータを送受信するための受信側無線モジュールと、前記受信側無線モジュールを通じて受信される放送信号をデコーディングして所定の映像および音声フォーマットに変換して出力するデコーディング／信号処理部とを有する無線受信デバイスとを含むことを特徴とする無線Ａ／Ｖシステム。
【請求項８】
請求項３による放送受信／伝送装置と；
前記放送受信／伝送装置と無線でデータを送受信するための受信側無線モジュールと、前記受信側無線モジュールを通じて受信される放送信号をデコーディングして所定の映像および音声フォーマットに変換して出力するデコーディング／信号処理部とを有する無線受信デバイスとを含むことを特徴とする無線Ａ／Ｖシステム。
【請求項９】
請求項４による放送受信／伝送装置と；
前記放送受信／伝送装置と無線でデータを送受信するための受信側無線モジュールと、前記受信側無線モジュールを通じて受信される放送信号をデコーディングして所定の映像および音声フォーマットに変換して出力するデコーディング／信号処理部とを有する無線受信デバイスとを含むことを特徴とする無線Ａ／Ｖシステム。
【請求項１０】
請求項５による放送受信／伝送装置と；
前記放送受信／伝送装置と無線でデータを送受信するための受信側無線モジュールと、前記受信側無線モジュールを通じて受信される放送信号をデコーディングして所定の映像および音声フォーマットに変換して出力するデコーディング／信号処理部とを有する無線受信デバイスとを含むことを特徴とする無線Ａ／Ｖシステム。
【請求項１１】
放送信号の伝送のためのＡ／Ｖ信号領域と使用者データ領域とを区分してデータを送受信する第１デバイスおよび第２デバイスを有する無線Ａ／Ｖシステムのデータ伝送方法において、
前記第１デバイスに放送信号が受信される段階と；
前記放送信号の中の電子プログラムガイド情報を検出する段階と；
前記電子プログラムガイド情報に基づいてＥＰＧメニューデータを生成する段階と；
前記放送信号と前記ＥＰＧメニューデータのうちの少なくともいずれか一つを所定のエンコーディングフォーマットによってエンコーディングする段階と；
前記エンコーディングされたデータを前記Ａ／Ｖ信号領域を通じて前記第１デバイスから前記第２デバイスに伝送する段階とを含むことを特徴とする無線Ａ／Ｖシステムのデータ伝送方法。
【請求項１２】
前記エンコーディングフォーマットによってエンコーディングする段階は、
前記電子プログラムガイド情報を表示するかないかを選択する段階と；
前記電子プログラムガイド情報の表示が選択される場合、前記ＥＰＧメニューデータを前記エンコーディングフォーマットによってエンコーディングする段階とを含むことを特徴とする請求項１１に記載の無線Ａ／Ｖシステムのデータ伝送方法。
【請求項１３】
前記エンコーディングフォーマットは、ＭＰＥＧフォーマットを含むことを特徴とする請求項１２に記載の無線Ａ／Ｖシステムのデータ伝送方法。
【請求項１４】
ＥＰＧデバッギングのためのＥＰＧデバッギング信号が前記第１デバイスに受信される段階をさらに含み；
前記エンコーディングフォーマットによってエンコーディングする段階は、前記ＥＰＧデバッギング信号を前記エンコーディングフォーマットによってエンコーディングする段階をさらに含むことを特徴とする請求項１３に記載の無線Ａ／Ｖシステムのデータ伝送方法。
【発明の詳細な説明】
【技術分野】
【０００１】
本発明は放送受信／伝送デバイス、無線Ａ／Ｖシステム、および無線Ａ／Ｖシステムの制御方法に係わり、より詳しくは、電子プログラムガイド情報に基づいて生成されたＥＰＧメニューデータおよび／またはＥＰＧデバッギング信号をＡ／Ｖ信号領域を通じて無線で伝送することができる放送受信／伝送デバイス、無線Ａ／Ｖシステム、および無線Ａ／Ｖシステムの制御方法に関する。
【背景技術】
【０００２】
近来に、制限された空間内で各種Ａ／Ｖ機器が伝線を利用して連結されず、無線で映像および音声データを伝送する無線Ａ／Ｖシステムが幅広く使用されている。
【０００３】
図１はこのような従来の無線Ａ／Ｖシステムの一例を示した図である。図に示されているように、従来の無線Ａ／Ｖシステムは、放送信号を受信する放送受信／伝送デバイス１１０と、放送受信／伝送デバイス１１０から無線で放送信号を受信する無線受信デバイス１２０とを含む。
【０００４】
放送受信／伝送デバイス１１０は、チューナー１１２、デジタル処理部１１３、ＭＰＥＧ（Ｍｏｖｉｎｇ  Ｐｉｃｔｕｒｅ  Ｅｘｐｏｒｔｓ  Ｇｒｏｕｐ）エンコーダ１１５、送信側無線モジュール１１６、および制御部１１７を含む。
【０００５】
チューナー１１２は放送信号であるＲＦ信号を受信し、制御部１１７の制御によって受信された放送信号のうちの少なくともいずれか一つのチャンネルをチューニングする。そして、デジタル処理部１１３は入力されるアナログ方式の放送信号をデジタルデータに変換する。
【０００６】
ＭＰＥＧエンコーダ１１５はデジタル処理部１１３から出力されるデジタルデータを送信側無線モジュール１１６を通じて無線伝送するためにデジタルデータをＭＰＥＧエンコーディングフォーマットをエンコーディングして出力する。
【０００７】
送信側無線モジュール１１６はＭＰＥＧエンコーダ１１５によってエンコーディングされたデータを無線で伝送する。
【０００８】
一方、無線受信デバイス１２０は受信側無線モジュール１２６およびＭＰＥＧデコーダ／コントローラー１２７を含む。
受信側無線モジュール１２６は放送受信／伝送デバイス１１０の送信側無線モジュール１１６を通じて伝送されるデータを受信してＭＰＥＧデコーダ／コントローラー１２７に供給する。
ＭＰＥＧデコーダ／コントローラー１２７は受信側無線モジュール１２６を通じて受信されたデータをデコーディングして所定の映像および音声フォーマットの信号に変換して出力する。ここで、ＭＰＥＧデコーダ／コントローラー１２７から出力される映像信号はディスプレイ部１２９に提供されてイメージで表示され、音声信号は示されていないアンプなどに提供されて音響で出力される。
【０００９】
一方、放送受信／伝送デバイス１１０の制御部１１７は、放送信号の垂直帰線消去区間（ＶＢＩ）で電子プログラムガイド（ＥＰＧ）情報を検出する。そして、制御部１１７は、使用者がＥＰＧメニューの表示を選択する場合、検出された電子プログラムガイド情報に基づいてＥＰＧメニューデータを生成し、生成されたＥＰＧメニューデータを送信側無線モジュール１１６を通じて無線受信デバイス１２０に伝送する。そして、無線受信デバイス１２０のＭＰＥＧデコーダ／コントローラー１２７は受信側無線モジュール１２６を通じて受信されるＥＰＧメニューデータをディスプレイ部１２９に表示可能なフォーマットに変換してディスプレイ部１２９に出力する。
【００１０】
ここで、放送受信／伝送デバイス１１０の送信側無線モジュール１１６と無線受信デバイス１２０の受信側無線モジュール１２６との間の無線データ送受信はＡ／Ｖ信号領域とユーザーデータ領域とに区分される。ここで、Ａ／Ｖ信号領域は放送受信／伝送デバイス１１０のＭＰＥＧエンコーダ１１５から出力されるエンコーディングされたデータ、つまり、Ａ／Ｖデータの伝送に使用される領域であり、ユーザーデータ領域はＡ／Ｖデータ以外のデータの送受信に使用される領域である。したがって、ユーザーデータ領域を通じては前述のＥＰＧメニューデータと、デバッギング信号送受信部１１７を通じて受信されるＥＰＧデバッギングのためのＥＰＧデバッギング信号が放送受信／伝送デバイス１１０から無線受信デバイス１２０に伝送される。
【００１１】
しかし、このような従来の無線Ａ／Ｖシステムにおいて、ＥＰＧメニューデータの場合、データ伝送率（例えば、１２００ｂｙｔｅ）がユーザーデータ領域の伝送率より高い場合にＥＰＧメニューデータの伝送に失敗する恐れがある。また、ＥＰＧデバッギング信号の場合にも、最大伝送率が１４４００ｂｙｔｅまたはそれ以上になることがあり、この場合にはＥＰＧデバッギングが失敗する恐れがある。
【００１２】
ここで、ユーザーデータ領域の伝送率を十分に確保しても、例えば、１５８００ｂｙｔｅ程度を確保しても、リアルタイム両方向通信を要求するＥＰＧデバッギング信号の伝送には無理がある。
【発明の開示】
【発明が解決しようとする課題】
【００１３】
従って、本発明の目的は、電子プログラムガイド情報に基づいて生成されたＥＰＧメニューデータ及び／又はＥＰＧデバッギング信号をＡ／Ｖ信号領域を通じて無線で伝送して、ＥＰＧメニューデータ及び／又はＥＰＧデバッギング信号の伝送によるエラーを解消し、ＥＰＧデバッギング信号に対する実時間両方向通信を実現することができる放送受信／伝送デバイス、無線Ａ／Ｖシステム、及び無線Ａ／Ｖシステムの制御方法を提供することにある。
【課題を解決するための手段】
【００１４】
前記目的は、本発明によって、放送信号を所定のエンコーディングフォーマットでエンコーディングして無線で外部デバイスに伝送する放送受信／伝送デバイスにおいて、前記放送信号を前記エンコーディングフォーマットによってエンコーディングして出力する放送信号処理部と；前記放送信号処理部を通じてエンコーディングされた前記放送信号を前記外部デバイスに無線で伝送するための伝送側無線モジュールと；前記放送信号から電子プログラムガイド情報を検出し、前記検出された電子プログラムガイド情報に基づいてＥＰＧメニューデータを生成し、前記ＥＰＧメニューデータと前記放送信号のうちの少なくともいずれか一つが前記エンコーディングフォーマットによってエンコーディングされて前記伝送側無線モジュールを通じて前記外部デバイスに伝送されるように前記放送信号処理部を制御する制御部とを含むことを特徴とする放送受信／伝送デバイスによって達成される。
【００１５】
ここで、前記放送信号処理部は、前記放送信号を受信するためのチューナーと；前記チューナーから受信される放送信号をデジタルデータに変換するデジタル処理部と；前記デジタル処理部からの前記デジタルデータを前記エンコーディングフォーマットによってエンコーディングして出力するエンコーディング部と；前記制御部の制御によって前記ＥＰＧメニューデータと前記デジタルデータのうちの少なくともいずれか一つが前記エンコーディング部に入力されるようにするデータ選択部とを含むことができる。
【００１６】
そして、前記エンコーディングフォーマットは、ＭＰＥＧフォーマットを含むことができる。
【００１７】
そして、ＥＰＧデバッギングのためのＥＰＧデバッギング信号が送受信されるデバッギング信号送受信部をさらに含み；前記制御部は前記デバッギング信号送受信部を通じて受信される前記デバッギング信号を前記エンコーディング部を通じてエンコーディングして前記外部デバイスに伝送することができる。
【００１８】
ここで、前記伝送側無線モジュールと前記外部デバイスとの間の無線データ伝送領域は、前記エンコーディング部を通じてエンコーディングされたデータの伝送のためのＡ／Ｖ信号領域と、前記エンコーディング部を通じてエンコーディングされたデータ以外のデータの伝送のための使用者データ領域とを含むことができる。
【００１９】
一方、前記目的は、本発明の他の実施形態によって、前記の放送受信／伝送装置と；前記放送受信／伝送装置と無線でデータを送受信するための受信側無線モジュールと、前記受信側無線モジュールを通じて受信される放送信号をデコーディングして所定の映像および音声フォーマットに変換して出力するデコーディング／信号処理部を有する無線受信デバイスとを含むことを特徴とする無線Ａ／Ｖシステムによっても達成されることができる。
【００２０】
また、前記目的は、本発明のまた他の実施形態によって、放送信号の伝送のためのＡ／Ｖ信号領域と使用者データ領域とを区分してデータを送受信する第１デバイスおよび第２デバイスを有する無線Ａ／Ｖシステムのデータ伝送方法において、前記第１デバイスに放送信号が受信される段階と；前記放送信号の中の電子プログラムガイド情報を検出する段階と；前記電子プログラムガイド情報に基づいてＥＰＧメニューデータを生成する段階と；前記放送信号と前記ＥＰＧメニューデータのうちの少なくともいずれか一つを所定のエンコーディングフォーマットによってエンコーディングする段階と；前記エンコーディングされたデータを前記Ａ／Ｖ信号領域を通じて前記第１デバイスから前記第２デバイスに伝送する段階とを含むことを特徴とする無線Ａ／Ｖシステムのデータ伝送方法によっても達成されることができる。
【００２１】
ここで、前記エンコーディングフォーマットによってエンコーディングする段階は、前記電子プログラムガイド情報の表示の要否を選択する段階と；前記電子プログラムガイド情報の表示が選択される場合、前記ＥＰＧメニューデータを前記エンコーディングフォーマットによってエンコーディングする段階とを含むことができる。
【００２２】
そして、前記エンコーディングフォーマットは、ＭＰＥＧフォーマットを含むことができる。
【００２３】
そして、ＥＰＧデバッギングのためのＥＰＧデバッギング信号が前記第１デバイスに受信される段階をさらに含み；前記エンコーディングフォーマットによってエンコーディングする段階は前記ＥＰＧデバッギング信号を前記エンコーディングフォーマットによってエンコーディングする段階をさらに含むことができる。
【発明の効果】
【００２４】
本発明によると、電子プログラムガイド情報に基づいて生成されたＥＰＧメニューデータ及び／又はＥＰＧデバッギング信号をＡ／Ｖ信号領域を通じて無線で伝送して、ＥＰＧメニューデータ及び／又はＥＰＧデバッギング信号の伝送によるエラーを解消し、ＥＰＧデバッギング信号に対する実時間両方向通信を実現することができる放送受信／伝送デバイス、無線Ａ／Ｖシステム、及び無線Ａ／Ｖシステムの制御方法が提供される。
【発明を実施するための最良の形態】
【００２５】
以下、添付図面を参照して本発明について詳しく説明する。
【００２６】
本発明による無線Ａ／Ｖシステムは、図２に示されているように、放送受信／伝送デバイス１０と放送受信デバイスを含む。
【００２７】
放送受信／伝送デバイス１０は、放送信号処理部１１と、伝送側無線モジュールと、制御部１７とを含む。
【００２８】
放送信号処理部１１は、受信された放送信号を所定のエンコーディングフォーマットでエンコーディングして送信側無線モジュール１６に出力する。ここで、本発明による放送信号処理部１１はチューナー１２、デジタル処理部１３、エンコーディング部１５、およびデータ選択部１４を含むことができる。
【００２９】
チューナー１２は放送信号であるＲＦ信号を受信し、制御部１７の制御によって受信された放送信号のうちの少なくともいずれか一つのチャンネルをチューニングする。そして、デジタル処理部１３は入力されるアナログフォーマットの放送信号をデジタルデータに変換する。
【００３０】
エンコーディング部１５はデジタル処理部１３から出力されるデジタルデータを送信側無線モジュール１６を通じて無線伝送するために所定のエンコーディングフォーマットでエンコーディングする。ここで、エンコーディング部１５はデジタル処理部１３から出力されるデジタルデータをＭＰＥＧエンコーディングフォーマットによってエンコーディングすることを一例とする。
【００３１】
データ選択部１４は制御部１７の制御によって、デジタル処理部１３から出力されるデジタルデータと制御部１７から出力される後述のＥＰＧメニューデータのうちの少なくともいずれか一つがエンコーディング部１５に入力されるようにする。
【００３２】
一方、伝送側無線モジュールは放送信号処理部１１のエンコーディング部１５を通じてエンコーディングされたデータを無線で無線受信デバイス２０の後述する受信側無線モジュール２６に伝送する。
【００３３】
ここで、本発明による放送受信／伝送デバイス１０の送信側無線モジュール１６と無線受信デバイス２０の受信側無線モジュール２６との間の無線データ送受信はＡ／Ｖ信号領域とユーザーデータ領域とに区分される。
【００３４】
Ａ／Ｖ信号領域を通じては放送受信／伝送デバイス１０のエンコーディング部１５から出力されるエンコーディングされたデータが放送受信／伝送デバイス１０から無線受信デバイス２０に伝送される。つまり、本発明では放送受信／伝送デバイス１０のエンコーディング部１５を通じてエンコーディングされた放送信号だけでなくＥＰＧメニューデータもＡ／Ｖ信号領域を通じて無線受信デバイス２０に伝送される。
【００３５】
一方、制御部１７はチューナー１２を通じて受信された放送信号の中の電子プログラムガイド（ＥＰＧ）情報を検出する。そして、制御部１７は使用者がＥＰＧメニューの表示を選択する場合、検出された電子プログラムガイド情報に基づいてＥＰＧメニューデータを生成し、生成されたＥＰＧメニューデータをエンコーディング部１５に出力する。ここで、制御部１７は放送信号の垂直帰線消去区間（ＶＢＩ）で電子プログラムガイド情報を検出することができる。
【００３６】
また、制御部１７はデジタル処理部１３から出力されるデジタルデータと制御部１７からのＥＰＧメニューデータのうちの少なくともいずれか一つがエンコーディング部１５に入力されるようにデータ選択部１４を制御することができる。ここで、制御部１７は使用者がＥＰＧメニューの表示を選択する場合、ＥＰＧメニューデータがエンコーディング部１５に入力されるようにデータ選択部１４を制御することができる。
【００３７】
一方、無線受信デバイス２０は、受信側無線モジュール２６およびデコーディング／信号処理部２７を含むことができる。
【００３８】
受信側無線モジュール２６は、Ａ／Ｖ信号領域とユーザーデータ領域を通じて放送受信／伝送デバイス１０の送信側無線モジュール１６と無線データ通信を行う。
【００３９】
デコーディング／信号処理部２７は、受信側無線モジュール２６のＡ／Ｖ信号領域を通じて受信されるデータをデコーディングし、デコーディングされたデータを所定の映像および音声フォーマットに変換して出力する。ここで、デコーディング／信号処理部２７を通じて出力される映像フォーマットの信号はディスプレイ部２９に出力されてイメージで表示され、音声フォーマットの信号はアンプなどのような音響出力装置（図示せず）に出力されて音響で出力される。
【００４０】
ここで、受信側無線モジュール２６のＡ／Ｖ信号領域を通じて受信されるデータは放送受信／伝送デバイス１０のエンコーディング部１５によってエンコーディングされたデータであって、デジタル処理部１３からのデジタルデータと制御部１７から出力されるＥＰＧメニューデータのうちの少なくともいずれか一つに該当する。
【００４１】
一方、本発明による放送受信／伝送デバイス１０は、ＥＰＧデバッギングのためのＥＰＧデバッギング信号の送受信のためのデバッギング信号送受信部１８をさらに含むことができる。そして、制御部１７はデバッギング信号送受信部１８を通じて受信されるＥＰＧデバッギング信号をエンコーディング部１５に出力することができる。そして、ＥＰＧデバッギング信号はエンコーディング部１５によってエンコーディングされ送信側無線モジュール１６のＡ／Ｖ信号領域を通じて無線受信デバイス２０に伝送される。したがって、放送受信／伝送デバイス１０と無線受信デバイス２０との間のＥＰＧデバッギング信号の伝送時に伝送率を確保することができるようになって、リアルタイム両方向通信が可能になる。
【００４２】
以下、図３を参照して本発明による無線Ａ／Ｖシステムの放送受信／伝送デバイス１０の制御過程を説明する。
【００４３】
まず、チューナー１２を通じて放送信号が受信される場合（Ｓ１１）、デジタル処理部１３およびエンコーダ部を通じて放送信号がデジタル化およびエンコーディング過程を経るようになる（Ｓ１２）。そして、デジタル化およびエンコーディング過程を経た放送信号は送信側無線モジュール１６を通じて無線受信デバイス２０に伝送される（Ｓ１３）。一方、放送信号が伝送されている過程中で制御部１７は放送信号から電子プログラムガイド情報を検出する（Ｓ１４）。
【００４４】
このような過程中、制御部１７はＥＰＧメニュー表示が選択されるか否かを判断する（Ｓ１５）。ここで、ＥＰＧメニュー表示の選択はリモコンや放送受信／伝送デバイス１０（または無線受信デバイス２０）に設けられた選択ボタンを通じて選択することができる。
【００４５】
ここで、制御部１７はＥＰＧメニュー表示が選択された場合、検出された電子プログラムガイド情報に基づいてＥＰＧメニューデータを生成して出力する（Ｓ１６）。そして、制御部１７はＥＰＧメニューデータとデジタル処理部１３から出力されるデジタルデータのうちのＥＰＧメニューデータをエンコーディング部１５に入力するようにデータ選択部１４を制御する。
【００４６】
そして、エンコーディング部１５は入力されるＥＰＧメニューデータをエンコーディングフォーマットによってエンコーディングして（Ｓ１７）送信側無線モジュール１６に出力し、送信側無線モジュール１６はエンコーディングされたＥＰＧメニューデータを無線受信デバイス２０に伝送する（Ｓ１８）。
【００４７】
これによって、無線受信デバイス２０のデコーディング／信号処理部２７は受信側無線モジュール２６を通じて受信されるエンコーディングされたＥＰＧデータをデコーディングしてディスプレイ部２９に出力することによって、ＥＰＧメニューが画面上に表示されるようにする。
【００４８】
本発明の幾つかの実施形態が図示され説明されたが、本発明が属する技術分野における通常の知識を有する当業者であれば、本発明の原則や精神から離脱せずに本実施形態を変形することができるのを理解できる。そして、発明の範囲は添付された請求項とその均等物によって決められる。
【図面の簡単な説明】
【００４９】
【図１】従来の無線Ａ／Ｖシステムの制御ブロック図である。
【図２】本発明による無線Ａ／Ｖシステムの制御ブロック図である。
【図３】本発明による放送受信／伝送デバイスの制御フローチャートである。
【符号の説明】
【００５０】
１０  放送受信／伝送デバイス
１１  放送信号処理部
１２  チューナー
１３  デジタル処理部
１４  データ選択部
１５  エンコーディング部
１６  送信側無線モジュール
１７  制御部
１８  デバッギング信号送受信部
２０  無線受信デバイス
２６  受信側無線モジュール
２７  デコーディング／信号処理部
２９  ディスプレイ部
【図１】
2007037122.tif 000003
【図２】
2007037122.tif 000004
【図３】
2007037122.tif 000005